(57)【要約】【課題】一般市販のスリッパー等履物に装着でき、ゴミ吸着シートは使用者が自由に截断して使用できる、履物用ゴミ吸着部材を提供する。【解決手段】履物７底板８の底面形状の２枚のプレート１、２に、対向して１または複数の磁石３、４を設けるか、または、一方のプレート１には１または複数の磁石を、他方のプレート２には、プレート１の磁石に対向して１または複数の磁性体を設け、前記２枚のプレートのうちいずれかのプレートをゴミ吸着シート６の上に載置し、そのゴミ吸着シートの周縁部をプレートの周縁上面に折り返し、その上に他方のプレートを重ね、両プレートの磁石と磁石、または、磁石と磁性体とを引き合わせて上下のプレートを着脱自在に係止し、かつ、上下のプレートで、ゴミ吸着シート６の折り返し周縁部を挟んでゴミ吸着シートを着脱自在に固定して履物用ゴミ吸着部材を構成し、上方のプレートの上面を履物の底面に接着して使用する。【選択図】    図３
2006020661.tif 000002
【特許請求の範囲】
【請求項１】
履物の底面形状の２枚のプレートのそれぞれに、対向して１または複数の磁石を設けるか、または、一方のプレートには１または複数の磁石を、他方のプレートには、前記一方のプレートの磁石に対向して１または複数の磁性体を設け、前記２枚のプレートのうちいずれかのプレートをゴミ吸着シートの上に載置し、そのゴミ吸着シートの周縁部をプレートの周縁上面に折り返し、その上に他方のプレートを重ね、両プレートの磁石と磁石、または、磁石と磁性体とを引き合わせて上下のプレートを着脱自在に係止し、かつ、上下のプレートで、前記ゴミ吸着シートの折り返し周縁部を挟んでゴミ吸着シートを着脱自在に固定してなり、前記上方のプレートの上面を履物の底面に着脱自在に接着して使用する履物用ゴミ吸着部材。
【請求項２】
履物の底面形状の２枚のプレートのうち、一方のプレートの先端縁および／または後端縁の面に、断面コの字状の挟持部材のコの字状の２つの先端をプレートの内方向に向け、コの字状の上面を当接させて固定し、
前記挟持部材を取付けた面を下向け、前記挟持部材を取付けた周縁部近辺を除いた足先部、中間部または踵部に１または複数の磁石または磁性体を設け、他方のプレートに、前記挟持部を設けたプレートの磁石または磁性体に対向して磁石を設けるか、または、前記挟持部を設けたプレートの磁石に対向して磁性体を設け、前記２枚のプレートのうち、前記挟持部材を取付けてない方のプレートをゴミ吸着シートに載置し、そのゴミ吸着シートの周縁部をプレートの周縁上面に折り返し、その上に、前記挟持部を設けてあるプレートを、双方の磁石または磁性体を対向させて載置し、上下のプレートの磁石と磁石、または、磁石と磁性体とを引き合わせ、前記挟持部材を取付けてないプレートの先端縁部および／または後端縁部を前記挟持部のコの字状内に嵌入させ、上下のプレートを着脱自在に係止し、上下のプレートで、前記ゴミ吸着シートの折り返し周縁部を挟み、ゴミ吸着シートを着脱自在に固定してなり、  前記上方のプレートの上面を履物の底面に着脱自在に接着して使用する履物用ゴミ吸着部材。
【請求項３】
断面コの字状の挟持部材のコの字状の２つの先端を、履物の底面形状の２枚のプレートのうち、一方のプレートプレートの内方向に向け、前記挟持部材のコの字内で、コの字の上方の辺の下面に、前記一方のプレートの先端縁および／または後端縁の上面を当接させて固定し、前記挟持部材を取付けた面を下向け、前記挟持部材を取付けた周縁部近辺を除いた足先部、中間部または踵部に１または複数の磁石または磁性体を設け、他方のプレートに前記一方プレートの面の磁石に対向する位置に磁石または磁性体を、磁性体に対向する位置に磁石を設け、前記２枚のプレートのうち挟持部材を取り付けてない方のプレートを、ゴミ吸着シートの上に載置し、そのゴミ吸着シートの周縁部をプレートの周縁上面に折り返し、前記挟持部材を取付けてないプレートの先端縁部および／または後端縁部をゴミ吸着シートの折り返し縁部とともに前記挟持部材のコの字状内に嵌入させ、前記２枚のプレートを重ね、上下のプレートの磁石と磁石、または、磁石と磁性体とを引き合わせ、前記挟持部材で前記２枚のプレートの先端縁部を挟持し、上下のプレートを着脱自在に係止し、かつ、上下のプレートで、前記ゴミ吸着シートの折り返し周縁部を挟み、ゴミ吸着シートを着脱自在に固定してなり、
前記上方のプレートの上面を履物の底面に着脱自在に接着して使用する履物用ゴミ吸着部材。
【請求項４】
履物の底面形状の２枚のプレートに１または複数の磁石を異極を対向させて設けるか、または、一方のプレートに１または複数の磁石を、他方のプレートに前記一方のプレートの磁石に対向して磁性体を設け、
前記２枚のプレートのうち一方のプレートを、ゴミ吸着シートに載置し、そのゴミ吸着シートの周縁部をプレートの周縁上面に折り返し、その上に他方のプレートを、磁石または磁性体を対向させて重ね、上下のプレートの磁石と磁石、または、磁石と磁性体とを引き合わせ、前記重ねた２枚のプレートの先端縁部および／または後端縁部を、断面コの字状の挟持部材のコの字状内に嵌入させ、前記挟持部材で前記２枚のプレートの先端縁部および／または後端縁部を挟持して上下のプレートを着脱自在に係止し、かつ、上下のプレートで、前記ゴミ吸着シートの折り返し周縁部を挟み、ゴミ吸着シートを着脱自在に固定してなり、
前記上方のプレートの上面を履物の底面に着脱自在に接着して使用する履物用ゴミ吸着部材。
【請求項５】
磁石または磁性体が、２枚のプレートのそれぞれの表面に取付けてなることを特徴とする請求項１乃至４のいずれかに記載の履物用ゴミ吸着部材。
【請求項６】
２枚のプレートが磁力線を通す材料よりなり、磁石または磁性体が内蔵させてなることを特徴とする請求項１乃至４のいずれかに記載の履物用ゴミ吸着部材。
【請求項７】
２枚のプレートが、一方のプレートは磁力線を通す材料よりなり、他方のプレートは磁力線を通さない材料よりなり、磁石または磁性体が、磁力線を通す材料よりなるプレートにおいては内蔵し、磁力線を通さない材料よりなるプレートにおいては表面に設けてなることを特徴とする請求項１乃至４のいずれかに記載の履物用ゴミ吸着部材。
【請求項８】
プラスチック成形素材粉末に磁性体粉末を混合して成形した磁性体プレートよりなる履物の底面形状の２枚のプレートの双方または一方を磁化し、前記２枚のプレートのうちいずれかのプレートをゴミ吸着シートの上に載置し、そのゴミ吸着シートの周縁部をプレートの周縁上面に折り返し、その上に他方のプレートを重ね、両プレートの磁石と磁石、または、磁石と磁性体とを引き合わせて上下のプレートを着脱自在に係止し、かつ、上下のプレートで、前記ゴミ吸着シートの折り返し周縁部を挟んでゴミ吸着シートを着脱自在に固定してなり、前記上方のプレートの上面を履物の底面に着脱自在に接着して使用する履物用ゴミ吸着部材。
【発明の詳細な説明】
【技術分野】
【０００１】
この発明は、通常市販のスリッパ、サンダル等の上履き履物の底にゴミ吸着シートを装着するための部材であって、その部材を履物の底に着脱自在に取付け、着用歩行によりゴミを吸着して自然に掃除することのできる履物用ゴミ吸着部材に関するものである。
【背景技術】
【０００２】
従来、ゴミ吸着シートを装着した履物としては特許文献１乃至３に記載の履物がある。      
【０００３】
特許文献１に記載の履物は、スリッパの底面と同形の掃除用紙シートに両面接着テープを張り、スリッパの底面に当接して接着したものである。
【０００４】
特許文献２に記載の履物は、ゴミ吸着用の紙または布をベレー帽型または巾着型とし、その開口周縁にゴム紐を縫い込むか、または紐を通して、その開口から履物の底板と同形のプレートを挿入し、その周縁を抱持し、プレートを底板に両面接着シートで接着した履物が記載している。
更に特許文献２には、前記ゴミ吸着用の紙または布でベレー帽型または巾着型にしたもので履物の底板を抱持し、ゴム紐または紐を締めて装着したものが記載されている。
更に特許文献２には、底板の下面に１または複数の凹部を設け、ゴミ吸着用のフエルト板を凹部に着脱自在に嵌合した上履き履物が記載されている。
【０００５】
特許文献３には、履物の底面の外周縁部を環状の段部とし、中央を台部とし、ゴミ吸着用のシートで台部と環状段部を覆い、環状段部上のゴミ吸着用シートの縁部を環状体で押さえた履物が記載されている。
【特許文献１】特開平９−２６２１０２                  （特許請求の範囲、図面）
【特許文献２】特開２０００−１４４０１                  （請求項１、２、および６）
【特許文献３】特開２００１−１２８９１６                  （要約の解決手段、図１〜７
【発明の開示】
【発明が解決しようとする課題】
【０００６】
特許文献１に記載の履物、および特許文献３に記載の履物は、底板と同形かまたは相似形であって、底板に装着した際に周縁部がはみ出ないゴミ吸着シートを用意しなければならない。
【０００７】
特許文献２に記載のベレー帽型または巾着型のゴミ吸着具を使用する履物では、ゴミ吸着用の紙または布を特別に加工しなければならず、費用がかかる。また、それ故に洗濯して何回も使用できるゴミ吸着用の布を使用できるが、洗濯に手数がかかり、何回も洗濯をすると、布が劣化して吸着効率が低下し、結局は新調しなければならない。
【０００８】
特許文献２に記載の底面に凹部を設けて、凹部にゴミ吸着用のフエルト板を嵌合する履物では、底面に凹部を設けた特別な履物が必要であり、更に、ゴミ吸着用のフエルト板は凹部に嵌合できる形状でなければならず、使用者がその都度フエルト板を截断するのはなかなか難しく、予め裁断したものを購入して備蓄しなければならず、コストがかかる。
【０００９】
特許文献２に記載の底面に凹部を設けた履物および特許文献３に記載の履物は、一般に市販されている履物ではなく、特別に購入しなければならない。
【課題を解決するための手段】
【００１０】
履物の底面形状の２枚のプレートのそれぞれに、対向して１または複数の磁石を設けるか、または、一方のプレートには１または複数の磁石を、他方のプレートには、前記一方のプレートの磁石に対向して１または複数の磁性体を設け、前記２枚のプレートのうちいずれかのプレートをゴミ吸着シートの上に載置し、そのゴミ吸着シートの周縁部をプレートの周縁上面に折り返し、その上に他方のプレートを重ね、両プレートの磁石と磁石、または、磁石と磁性体とを引き合わせて上下のプレートを着脱自在に係止し、かつ、上下のプレートで、前記ゴミ吸着シートの折り返し周縁部を挟んでゴミ吸着シートを着脱自在に固定して履物用ゴミ吸着部材を構成し、前記上方のプレートの上面を履物の底面に着脱自在に接着して使用する。
【００１１】
履物の底面形状の２枚のプレートのうち、一方のプレートの先端縁および／または後端縁の面に、断面コの字状の挟持部材のコの字状の２つの先端をプレートの内方向に向け、コの字状の上面を当接させて固定し、
前記挟持部材を取付けた面を下向け、前記挟持部材を取付けた周縁部近辺を除いた足先部、中間部または踵部に１または複数の磁石または磁性体を設け、他方のプレートに、前記挟持部を設けたプレートの磁石または磁性体に対向して磁石を設けるか、または、前記挟持部を設けたプレートの磁石に対向して磁性体を設け、前記２枚のプレートのうち、前記挟持部材を取付けてない方のプレートをゴミ吸着シートに載置し、そのゴミ吸着シートの周縁部をプレートの周縁上面に折り返し、その上に、前記挟持部を設けてあるプレートを、双方の磁石または磁性体を対向させて載置し、上下のプレートの磁石と磁石、または、磁石と磁性体とを引き合わせ、前記挟持部材を取付けてないプレートの先端縁部および／または後端縁部を前記挟持部のコの字状内に嵌入させ、上下のプレートを着脱自在に係止し、上下のプレートで、前記ゴミ吸着シートの折り返し周縁部を挟み、ゴミ吸着シートを着脱自在に固定して履物用ゴミ吸着部材を構成し、  前記上方のプレートの上面を履物の底面に着脱自在に接着して使用する。
【００１２】
断面コの字状の挟持部材のコの字状の２つの先端を、履物の底面形状の２枚のプレートのうち、一方のプレートプレートの内方向に向け、前記挟持部材のコの字内で、コの字の上方の辺の下面に、前記一方のプレートの先端縁および／または後端縁の上面を当接させて固定し、前記挟持部材を取付けた面を下向け、前記挟持部材を取付けた周縁部近辺を除いた足先部、中間部または踵部に１または複数の磁石または磁性体を設け、他方のプレートに前記一方プレートの面の磁石に対向する位置に磁石または磁性体を、磁性体に対向する位置に磁石を設け、前記２枚のプレートのうち挟持部材を取り付けてない方のプレートを、ゴミ吸着シートの上に載置し、そのゴミ吸着シートの周縁部をプレートの周縁上面に折り返し、前記挟持部材を取付けてないプレートの先端縁部および／または後端縁部をゴミ吸着シートの折り返し縁部とともに前記挟持部材のコの字状内に嵌入させ、前記２枚のプレートを重ね、上下のプレートの磁石と磁石、または、磁石と磁性体とを引き合わせ、前記挟持部材で前記２枚のプレートの先端縁部を挟持し、上下のプレートを着脱自在に係止し、かつ、上下のプレートで、前記ゴミ吸着シートの折り返し周縁部を挟み、ゴミ吸着シートを着脱自在に固定して履物用ゴミ吸着部材を構成し、前記上方のプレートの上面を履物の底面に着脱自在に接着して使用する。
【００１３】
履物の底面形状の２枚のプレートに１または複数の磁石を異極を対向させて設けるか、または、一方のプレートに１または複数の磁石を、他方のプレートに前記一方のプレートの磁石に対向して磁性体を設け、前記２枚のプレートのうち一方のプレートを、ゴミ吸着シートに載置し、そのゴミ吸着シートの周縁部をプレートの周縁上面に折り返し、その上に他方のプレートを、磁石または磁性体を対向させて重ね、上下のプレートの磁石と磁石、または、磁石と磁性体とを引き合わせ、前記重ねた２枚のプレートの先端縁部および／または後端縁部を、断面コの字状の挟持部材のコの字状内に嵌入させ、前記挟持部材で前記２枚のプレートの先端縁部および／または後端縁部を挟持して上下のプレートを着脱自在に係止し、かつ、上下のプレートで、前記ゴミ吸着シートの折り返し周縁部を挟み、ゴミ吸着シートを着脱自在に固定して履物用ゴミ吸着部材を構成し、前記上方のプレートの上面を履物の底面に着脱自在に接着して使用する。
【００１４】
磁石または磁性体を、２枚のプレートのそれぞれの表面に取付けてもよい。
【００１５】
２枚のプレートを磁力線を通す材料で形成し、磁石または磁性体をプレートに内蔵させてもよい。
または、２枚のプレートを、一方のプレートは磁力線を通す材料で形成し、他方のプレートは磁力線を通さない材料で構成し、磁石または磁性体は、磁力線を通す材料よりなるプレートにおいては内蔵し、磁力線を通さない材料よりなるプレートにおいては表面に設けてもよい。
【００１６】
プラスチック成形素材粉末に磁性体粉末を混合して成形した磁性体プレートよりなる履物の底面形状の２枚のプレートの双方または一方を磁化し、前記２枚のプレートのうちいずれかのプレートをゴミ吸着シートの上に載置し、そのゴミ吸着シートの周縁部をプレートの周縁上面に折り返し、その上に他方のプレートを重ね、両プレートの磁石と磁石、または、磁石と磁性体とを引き合わせて上下のプレートを着脱自在に係止し、かつ、上下のプレートで、前記ゴミ吸着シートの折り返し周縁部を挟んでゴミ吸着シートを着脱自在に固定して履物用ゴミ吸着部材を構成し、前記上方のプレートの上面を履物の底面に着脱自在に接着して使用する。
【発明の効果】
【００１７】
この発明に係る履物用ゴミ吸着用部材（以下ゴミ吸着用部材と言う）は一般に市販されている履物に使用することができる。また、ゴミ吸着用部材に装着するゴミ吸着用シートは、ゴミを吸着できる紙、布、フエルト等いずれでもよく、その截断形状は、限定せず、ゴミ吸着用シート取付けのための下方プレートの底面よりも大きく周縁部が下方プレートの周縁で折り返してその周縁を抱むことのできる大きさであればよい。
特に市販のモップ用紙を截って簡単に使用することができる。
ゴミ吸着用部材が履物の底面から簡単に取り外しができ、かつ、ゴミ吸着用部材の上下のプレートが簡単に分離できるので、ゴミを吸着したゴミ吸着シートは、簡単に取り外しができ、そのシートの端を摘んで捨てられるので、手をよごさない。
２枚のプレートの先端縁部を断面コの字状の挟持部材で挟持すれば、磁石および磁性体の数を減らすことができて、コストの安いゴミ吸着用部材を提供することができる。
【発明を実施するための最良の形態】
【００１８】
履物の底面形状と同形の２枚のプレート１、２を上下に重ねたときに対向する面において、一方のプレート１の面に１または複数の磁石３を設け、他方のプレート２に、磁石３に対向する位置に磁石４を、互いに異極が対向するように設ける。磁石４の代わりに、磁石にくっつく金属または金属粉混合プラスチック、セラミックなどの磁性体を用いてもよい。磁石および磁性体を取付けたプレート１と２でゴミ吸着シート装着部材５（以下単に装着部材５と言う）を形成する。
プレート１、２の面に設けた磁石または磁性体の面は、プレート１、２の面と面一あるか、突出するか、または、窪んだ状態であってもよい。
【００１９】
プレート１、２の材料は、ゴム、プラスチック、木、金属のいずれでもよいが、ＥＶＡスポンジやウレタン合成樹脂が柔らかく屈曲性がよくて好ましい。
プレート１および２の大きさは、履物７の底板８の底面と同一であるのが好ましいが、同一でなく、実質的同一であればよく、多少底板８の底面よりも大きくても小さくてもよい。従って、市販の履物７に使用することができる。
プレート１、２の形状は、図１および２では左足用を図示したが、左右区別なく使用できる左右同形のものでもよい。
磁石３、４および磁性体の形状は限定しない。
磁石３、４が面積の小さい小形の場合には、複数個用い、面積の広いプレート状または帯状の場合には、１または少数用いる。
【００２０】
２枚のプレート１、２のうち一方のプレート、図においてはプレート２の底面を、ゴミ吸着シート６（以下シートという）で覆い、シート６の周縁部をプレートの上面へ折り返し、プレートの周縁部を包む。
【００２１】
次いで、他方のプレートを、磁石３と４または磁石と磁性体とを対向させてシート６で包んだプレートの上方に重ねる。
２つのプレートの磁石３と４または磁石と磁性体とが吸着して、シート６の折り返し周縁部を挟んで２つのプレートおよびシート６を着脱自在に固定する。
２つのプレートは、磁石と磁石、または、磁石と磁性体とで係止するので、シート６の折り返し周縁部が、磁石または磁性体を覆っても２つのプレートの係止に差支えがない。      
【００２２】
上方のプレート１の上面に両面接着材等接着材を取付け、図３に示すように、サンダル、スリッパ等の履物７の底板８の底面にプレート１を押し圧して着脱自在に接着固定する。これにより装着部材５が底板８に固定する。
【００２３】
シート６を装着した装着部材５を取付けた履物７を着用して歩行すると、床のホコリ等ゴミがシート６に吸着する。
シート６にゴミが沢山吸着してゴミの吸着効率が悪くなれば、装着部材５を取り外し、プレート１と２とを取り外してもよいが、プレート１を底板８に接着したままプレート２をプレート１から取り外し、シート６を取り外して捨てる。
新たなシート６のプレート２への装着は前記のとおりの方法で行い、プレート２にシート６を装着し、再びプレート１に取付ける。
【００２４】
シート６を下方のプレートに強固に装着するために、図４に示すようにプレート２の上面の周縁部に、環状の凹部９または複数の凹部を設け、プレート２の底面に当接したシート６のプレート２の上面周縁部への折り返し縁部を、凹部９または前記凹部内に嵌合できる環状の押さえ部材１０で押さえて押さえ部材１０と共に凹部内に嵌合してもよい。
シート６をプレート２から取り外すためにはシート６を押さえている押さえ部材１０を取り外ずせばよい。
【００２５】
シート６の下方のプレートに強固に装着するための他の方法を図５に示す。
下方のプレート２ａは、ゴム、弾性プラスチック等の弾性体で構成し、プレート２ａの周縁部に環状の切り線１１または周縁部の複数の箇所に切り線を設ける。
プレート２ａの底面にシート６を当接し、その周縁部を上方へ折り返し、周縁部の一部を切り線１１の中に押し込む。
プレート２ａは弾性体であるので、シート６の周縁部を切り線１１内に押し込む際には、切り線１１の部分は開くが、押し込んだ後は復元しようとして押し込んだシート６の周縁部を強く挟む。この挟む力と上方に当接したプレートの面とでシートを強く押さえる。  シート６を外すためには、シート６の周縁部を摘んで強く引けば、その切り線１１内の周縁部が外れ、シート６をプレート２ａから容易に外すことができる。
【００２６】
更に、シート６を下方のプレートに強固に装着するために、図６に示すように一方のプレートの上面の周縁部に、環状の凹部９または複数の凹部を設け、他方のプレートには、前記凹部に嵌合できる突部１２を設け、一方のプレートの底面に当接したシート６のプレートの上面周縁部への折り返し、他方のプレートをその上から重ね、シート６の折り返し縁部を、突部１２で押さえて折り返し縁部と共に突部１２を凹部内に嵌合するようにしてもよい。シート６の折り返し縁部は、凹部の底で突部１２に強く押されると共に、２つのプレートの面でも挟まれ、シート６が強固に固定した装着部材５が得られる。
シート６を装着部材５から取り外すためには、シート６を押さえている２つのプレートを外し、シート６の折り返し周縁部の端を摘んでプレートから取り外ずせばよい。
【００２７】
磁石３、４、または、磁石とそれに対応する磁性体の数を減らしてコストを安くするための装着部材を図７およびず８に示す。
【００２８】
図７に示す装着部材１３は、２枚のプレート１、２の内一方の、図においてはプレート１の足先縁部および／または踵縁部の下面に、断面コの字形の挟持部材１４を、そのコの字の２つの先端をプレートの内方向に向け、コの字の対向する２辺の上辺の外面を接着またはカシメ等の方法で固定する。
挟持部材１４のコの字状の縦の面は、、プレートの縁部曲面に合わす。
【００２９】
プレート１の面で、挟持部材１４を取付けた縁部付近を除いて、たとえば、挟持部材１４を足先縁部に取り付けている場合には踵部に、挟持部材１４を踵縁部に取り付けている場合には足先部に、挟持部材１４を足先縁部および踵縁部に取り付けている場合には中間部に、磁石３、４、または、磁性体を取付け、プレート２の面には、プレート１の磁石に対向する位置に磁石または磁性体を、プレート１の磁性体に対向する位置には磁石を取り付ける。磁石と磁石とを対向させる場合には、異極を対向させる。
【００３０】
２枚のうち、挟持部材１４を取付けていない方のプレート、図においてはプレート２に、前記の要領でシート６を装着する。
シート６を装着したプレートの先端縁および／または後端縁を挟持部材のコの字状部分内に押し込んで嵌合させ、磁石３と４とで、または、磁石と磁性体とで、２枚のプレートを着脱自在に接着させて装着部材１３を形成する。
装着部材１３の使用方法は、装着部材５について前記説明した要領と同じである。
【００３１】
図８に示す装着部材１５は、２枚のプレート１、２の内一方の、図においてはプレート１の足先縁部および／または踵縁部の上面に、断面コの字形の挟持材部１６を、そのコの字の２つの先端をプレートの内方向に向け、コの字の対向する２辺の上辺の内面を接着またはカシメ等の方法で固定する。
挟持部材１６は、コの字状の対向する２辺の内下辺の内面とプレート１の足先縁部または踵縁部の下面との間に、後述のシート６を装着したプレート２の先端縁および／または後端縁を嵌入させる間隔を有する大きさとする。
【００３２】
プレート１の面で、挟持部材１６を取付けた縁部付近を除いて、たとえば、挟持部材１６を足先縁部に取り付けている場合には踵部の面と、挟持部材１６を踵縁部に取り付けている場合には足先縁部の面と、挟持部材１６を足先縁部および踵縁部に取り付けている場合には中間部に、磁石または磁性体を取付け、それに対応するプレート２の面に、プレート１の磁石または磁性体に対向して磁石または磁性体を取り付ける。
【００３３】
２枚のプレートのうち、挟持部材１６を取付けていない方のプレート、図においてはプレート２に、前記の要領でシート６を装着する。
シート６を装着したプレートを磁石または磁性体を上方にして前記挟持部材１６を取付けたプレートの下面に対向させ、先端縁および／または後端縁を挟持部材１６のコの字状部分内で上方のプレートの縁部下方の間隔に押し込んで嵌合させ、磁石３と４とで、または、磁石と磁性体とで、２枚のプレートを着脱自在に接着させて装着部材１５を形成する。
装着部材１５の使用方法は、装着部材５について前記説明した要領と同じである。
【００３４】
挟持部材１６は、いずれのプレートにも固定せずに、シート６を装着したプレートとそれに重ねたプレートの、先端縁および／または後端縁を嵌合してそれを挟持してもよい。      
【００３５】
装着部材１３および１５は、重ねた２枚のプレート縁部を挟持部材１４、１６で挟んでいるので、挟持部材１４、１６に近い面に磁石または磁性体がなくても、２枚のプレートは強く接合する。
【００３６】
前述の各実施の形態においては、プレートの表面の磁石または磁性体を上方にしてシート６の上に載置し、シート６の周縁部をプレートの上面側に折り返し、その上方に他のプレートを重ねた。この場合は、プレートの材料が磁力線を通すものでも、通さないものでも、いずれでもよい。プレートが磁力線を通す材料よりなる場合には、プレートの表面の磁石または磁性体を下方に向けてシート６の上に載置し、シート６の周縁部をプレートの上方側に折り返し、その上方に他のプレートを重ねてもよい。すなわち、プレートの表裏を気にすることなく、シート６を装着できる。シート６を装着したプレートの上に重ねるプレートも、磁力線を通す材料で形成すれば、いずれの面を重ねてもよい。この場合、プレートの素材が磁力を通すので、２枚のプレートの双方の磁石同士または磁石と磁性体とが引き合って接合する。
【００３７】
前述の各実施の形態においては、磁石または磁性体をプレートの表面に設けたことを前提として説明した。
しかしながら、プレートを磁力線を通す材料で形成した場合には、磁石または磁性体をプレートの中に内蔵させてもよい。
【００３８】
磁石または磁性体をプレートの中に内蔵させる方法は、限定しないが、次の方法によることができる。
その１つの方法は、インサート成形によるものである。これは、金型内に磁石または磁性体を入れてプラスチック溶液を注入する方法である。
他の方法としては、２枚のプレートで磁石または磁性体を挟んで接着し、１枚のプレートとする方法である。この磁石または磁性体を挟む際には、磁石または磁性体の位置決めのために、プレートの表面に、磁石を載置する位置に標（しるし）をしておくのが好ましい。標をする方法は限定しないが、孔を開けた型シートを用い、プレートの上に型シートを当て、孔の位置に鉛筆またはインク等で標をするのが好ましい。
【００３９】
磁石または磁性体を内蔵させたプレートの場合には、プレートの表裏を区別することなく、シート６を装着することができる。
【００４０】
磁石または磁性体を内蔵させる代わりに、プレートの成形に際して、成形素材のプラスチック粉末に磁性体粉末を混合して射出成形し、磁性体プレートを形成し、その磁性体プレートのうち所望の数のプレートを磁化して磁石プレートを形成する。
そして、２枚の磁石プレートで、または１枚の磁石プレートと１枚の磁性体プレートとで、ゴミ吸着シート装着部材を形成する。
シート６の装着方法は前記実施例について説明した方法と同じである。
プレート自体を磁石プレートまたは磁性体プレートとした場合も、プレートの表裏を気にすることなくシート６を装着することができる。
【図面の簡単な説明】
【００４１】
【図１】ゴミ吸着シート装着部材の説明図である。
【図２】プレートにゴミ吸着シートを装着した状態の平面図である。
【図３】履物用ゴミ吸着部材を装着した履物の腰部断面説明図である。
【図４】他の実施の形態のプレートのゴミ吸着シートの装着構造の説明図である。
【図５】他の実施の形態のプレートのゴミ吸着シートの装着構造の説明図である。
【図６】他の実施の形態のプレートのゴミ吸着シートの装着構造の説明図である。
【図７】他の実施の形態のプレートのゴミ吸着シートの装着構造の説明図である。
【図８】他の実施の形態のプレートのゴミ吸着シートの装着構造の説明図である。
【符号の説明】
【００４２】
１、２  プレート
３、４  磁石
５  ゴミ吸着シート装着部材
６  ゴミ吸着シート
７  履物
８  底板
９  凹部
１０  押さえ部材
１１  切り線
１２  突部
１３、１５  ゴミ吸着シート装着部材
１４、１６  挟持部材
【図１】
2006020661.tif 000003
【図２】
2006020661.tif 000004
【図３】
2006020661.tif 000005
【図４】
2006020661.tif 000006
【図５】
2006020661.tif 000007
【図６】
2006020661.tif 000008
【図７】
2006020661.tif 000009
【図８】
2006020661.tif 000010